(57)【要約】      （修正有）【課題】電動モーターで、伝動ベルトを介して円筒体の円周の棒状重錘の回転によりエネルギーを増幅して、回転体の慣性モーメント力を最大限引き出して、電気エネルギーに変換蓄電し外部に供給する回転エネルギーを増幅する。【解決手段】回転体１には、回転軸２を中心として左右に円形側板３を有し、該円形側板の円周外周又は内周に１個及至９個の棒状重錘５を回転軸を中心として不等辺三角形の重心点をずらして配設して３組の不等辺三角形を以って慣性モーメント力を最大に引き出す事を特徴とする回転体である。【選択図】図２
2009077613.tif 000002
【特許請求の範囲】
【請求項１】
回転軸（２）を中心として左右に円形側板（３）を装設した回転エネルギーを増幅する回転体において、該回転体（１）の該円形側板（３）の円周に架設した複数個の棒状重錘（５）…を該回転軸（２）に対して３組の不等辺三角形に配設したことを特徴とした回転エネルギーを増幅する回転体。
【請求項２】
請求項１における該棒状重錘（５）…は、該回転体（１）の円周の３ケ所を頂点として不等辺三角形（Ａ）、不等辺三角形（Ｂ）及び不等辺三角形（Ｃ）との３組を形成してなる請求項１の回転エネルギーを増幅する回転体。
【請求項３】
請求項１、２の回転体（１）の円筒体との外部又は内部に重心を置く、棒状重錘（５）を不等辺三角形の位置で角度０°から３６０°まで設定し、該円筒体の重心点をずらし、回転体（１）の慣性モーメントを両方向に増幅する請求項１、２の回転エネルギーを増幅する回転体。
【発明の詳細な説明】
【技術分野】
【０００１】  本発明は、電動モーターの回転エネルギーを利用して、増幅装置、円筒体を介在して電気エネルギーに変換し、且つ蓄積する事によって外部に供給する回転エネルギーを増幅する回転体に関するものである。
【背景技術】
【０００２】  従来この種の電気エネルギーを得るためには、化石燃料及び水素、原子力等の発熱する電気エネルギーに変換するのが一般に利用されている現状である。
また、水力及び風力のエネルギーを利用して電気エネルギーに変換して利用しているものか、更に太陽光発生システムを利用して電気エネルギーを、運動エネルギーに変換して使用するもの等が知られている。また、電気エネルギーを得る技術には、各種の発電機も利用されている現状である。
【発明の開示】
【発明が解決しようとする課題】
【０００３】  上記の如く、従来の技術で述べた水力、風力、熱、水素及び光資源では、広い空間や大規模の設備と多大な送電システムを必要とする問題点がある。
また、熱資源及び光資源では、多量の原料となるエネルギーが必要となる等の問題点がある。
本発明は、以上の各問題点を解決したものであって、その主たる目的とする所は、非常に簡易な設備と、著しく小型化し、且つ簡単なシステムを使用すれば、大型のエネルギーが供給できるものである。
更に、本発明の電気エネルギーの変換によれば、蓄電機を接続すれば、外部エネルギーを限りなく小さくして、始動回転エネルギーを超えると云う、多量のエネルギーが得られるものである。また、炭酸ガス発生を抑える近未来型エネルギー変換システムを提供しようとするものである。
【課題を解決するための手段】
【０００４】  上記目的を達成するために、本発明の回転エネルギーを増幅する回転体によれば、電動モーターによる回転軸に接続されている回転体の相対する円形側板の円周に渡って複数個の棒状重錘を回転軸に対して不等辺三角形に配設し、回転体に回転エネルギーとして伝える該回転体は、回転スピードに比例して慣性モーメントを増幅して、その回転エネルギーを蓄電し、発電機を介して、蓄電もしくは電気エネルギー及び回転エネルギーとして供給するようにしたものである。
【発明の効果】
【０００５】  以上説明したように本発明の回転エネルギーを増幅する回転体によれば、従来のように、化石燃料、原子力等の発熱を電気エネルギーに変換したものと同様に環境を悪化する事が皆無であり、水力、風力及び光資源を利用する如く、広い空間及び大規模の設備と、送電システムが不要となる優れた効果と、炭酸ガスの発生を皆無とする近未来型のエネルギー変換システムとしても効果を有するものである。そして、回転体の回転軸を中心として左右に装設した円形側板の円周に架設した複数個の棒状重錘を該回転軸に対して複数の不等辺三角形の配設によって、最初の小型電動モーターのエネルギーを利用して、回転体の外周の棒状重錘が各々慣性モーメントを増加する効果と、始動時の回転エネルギーを超える回転エネルギーを発生する効果を達成できる。また、該棒状重錘を該回転体の円周の３ケ所を基点として不等辺三角形の３組を装設したので、各々の棒状重錘が静止又は動作を繰り返して始動回転エネルギーを超える慣性モーメントを増加すると云う効果がある。更に本発明によれば、現在既存の各種の機器を使用でき、回転エネルギー発生変換が極めて高効率となり長期間安定して作動できる効果がある。
【発明を実施するための最良の形態】
【０００６】  次に、本発明の最良の形態を説明すると、図７に示す如く、小型電動モーター（１１）に無段変速機（１７）、変換蓄電器（１６）を連結し、プーリーに伝わり、伝動ベルト（１３）を介して回転体（１）の回転軸（２）に伝わり、回転体（１）の回転エネルギーが増幅し、伝動ベルト（１３）を介して同期発電機（１２）の回転連動エネルギーとなり、回転体自体が慣性モーメント力を増加して電気エネルギーに変換され、蓄電器（図示せず）に蓄電され、電気エネルギーとなって外部に取り出されるものである。
また、発生した電気エネルギーは、切り替えスィッチ（図示せず）を介して、一部を小型電動モーター（１１）に供給するものである。
【実施例】
【０００７】  本発明の実施例を図面について説明すると、固定床台（９）等に設置される増幅機の役目を達成する回転体（１）は、円柱、球体等より形成され、該回転体（１）は、内部を開示した図２に示す如く、中心に回転自在の回転軸（２）を設け、左右に円形側板（３）（３）を装設し、該円形側板（３）（３）には、円周の外側又は内側に、図６に示す如く、棒状重錘（５）（５）…を１個及至９個を各々所定間隔を設けて架設する。該棒状重錘（５）（５）は、両端を該円形側板（３）（３）に各種の固定用の締付ボルト（１５）（１５）を以って装着してある。また、該円形側板（３）（３）には、自重に対応するための調整用の貫通孔（７）（７）を複数個穿設してある。【０００８】  次に、図３及至図６に示す実施例のものは、該円形側板（３）（３）に対して架設した棒状重錘（５）（５）の１個及至９個を所定位置に装着した状態を示したもので、図３に示すものは、該棒状重錘（５）（５）を該円形側板（３）（３）の内外周に架設したもので、１個及至９個の中に基点▲１▼、▲４▼、▲７▼を設け、該基点▲１▼、▲４▼、▲７▼の各々の間に２個の棒状重錘（５）（５）が配設された状態を示している。次に、図４に示す該基点▲１▼には、回転軸（２）を内部として受点▲５▼、▲６▼とによって不等辺三角形（Ａ）を形成設定したものである。また、図５に示すものは、該基点▲４▼より受点▲８▼、▲９▼とによって不等辺三角形（Ｂ）を形成した該不等辺三角形（Ａ）に付加した状態を示したものである。
図６に示す実施例のものは、該基点▲７▼として受点▲２▼、▲３▼とによって該回転軸（２）を内部とし、不等辺三角形（Ｃ）を形成し、該不等辺三角形（Ａ）及び（Ｂ）に付加した状態を示し、該棒状重錘（５）の１個及至９個を以って不等辺三角形を３組形成設定し、重心点をずらす構成となっている。
なお、図６に示される実施例では、回転体（１）の円周において、該基点▲１▼の右回りの円周に位置する次の基点▲４▼との間に該棒状重錘（５）（５）を設ける位置の間隔は、長周辺（６）が２組と短周辺（４）が１組となって順次設定され、該基点▲４▼から次の基点▲７▼までの該棒状重鍾（５）（５）の設置する位置の間隔は、長周辺（６）が２組と短周辺（４）が１組となって順次設定される。最後に該基点▲７▼から該基点▲１▼における円周の棒状重錘（５）の設置間隔は、長周辺（６）（６）と短周辺（４）とによって順次、該棒状重錘（５）の位置が各不等辺三角形の位置で角度０°から３６０°までの位置に設定されている。
次に、図７に示す実施例のものは、本発明の回転体（１）を固定床台（９）に載置した装置の一部を示す平面図であって、電動モーター（１１）より、無段変速機（１７）、変換蓄電器（１６）を得て、伝動ベルト（１３）を介して該回転体（１）を回転させ、伝動ベルト（１３）を介在して同期発電機（１２）により発電交換器等を得て電気エネルギーに変換し、外部に送電されるものである。なお、符号（１４）は、回転軸（２）を支持する連結部を示し、符号（１８）は、配電操作盤を示したものである。
更に、図８に示す実施例は、垂直立体床台（１０）に、該回転体（１）の回転軸（２）を直立状態に立設し、該回転軸（２）に伝動ベルト（１３）及び電動モーター（１１）を示した本発明を垂直方向の床置型に設置した装置の一部を示したものである。
なお、本発明のものは、以上の通り、回転体（１）の内外に装設する１個及至９個の棒状重錘（５）の位置は、回転軸（２）を内部中心として基点▲１▼は、受点▲５▼、▲６▼とで不等辺三角形（Ａ）に、基点▲４▼は、受点▲８▼、▲９▼によって不等辺三角形（Ｂ）に、基点▲７▼は、受点▲２▼、▲３▼によって不等辺三角形（Ｃ）に配置した構成となっている。
【図面の簡単な説明】
【０００９】
【図１】  本発明の回転体の斜面図である。
【図２】  本発明の回転体の内部を開示した斜面図である。
【図３】  同じく本発明の回転体の内周に１個及至９個の棒状重錘を設けた配設した正面図である。
【図４】  本発明の基点▲１▼と受点▲５▼、▲６▼との不等辺三角形の正面図である。
【図５】  本発明の基点▲１▼と基点▲４▼とによる不等辺三角形を開示した正面図である。
【図６】  本発明の基点▲１▼と基点▲４▼と基点▲７▼とによる３組の不等辺三角形を示した正面図である。
【図７】  同じく本発明の一部欠除した増幅させる回転装置の正面図である。
【図８】  本発明の回転体を垂直に立設した床置型の装置の正面図である。
【符号の説明】
【００１０】  １        回転体
２        回転軸
３        円形側板
４        短周辺
５        棒状重錘
６        長周辺
７        貫通孔
９        固定床台
１０        垂直立体床台
１１        電動モーター
１２        同期発電機
１３        伝動ベルト
１４        連結部
１５        締付ボルト
１６        変換蓄電器
１７        無段変速機
１８        配電操作盤
Ａ、Ｂ、Ｃ  不等辺三角形
▲１▼〜▲９▼  棒状重錘の位置
【図１】
2009077613.tif 000003
【図２】
2009077613.tif 000004
【図３】
2009077613.tif 000005
【図４】
2009077613.tif 000006
【図５】
2009077613.tif 000007
【図６】
2009077613.tif 000008
【図７】
2009077613.tif 000009
【図８】
2009077613.tif 000010